(57)【要約】  【課題】異なる処理を施した画像データをそれぞれ別個に記録する電子カメラを提供する。  【解決手段】電子カメラに２つのスロット９、１０を設け、各スロット９、１０に記録カードＡ１１１（図２）および記録カードＢ１１２（図２）を装着可能に構成する。電子カメラは、撮影時に記録形式Ａが設定されているとき、記録カードＡ１１１（図２）に画像サイズ（画素数）が大きな画像のファイル（たとえば、６００万画素データ）を記録するとともに、記録カードＢ１１２（図２）には画像サイズ（画素数）が小さな画像のファイル（たとえば、１万画素データ）を記録する。  【選択図】図１
2006086810.tif 000002
【特許請求の範囲】
【請求項１】
被写体像を撮像して画像信号を出力する撮像素子と、
前記撮像素子から出力された画像信号に信号処理を施す画像処理手段と、
第１のメモリおよび前記第１のメモリと異なる第２のメモリにそれぞれデータを記録するデータ記録手段と、
一撮影で得られる同一の画像信号に基づいて、前記画像処理手段により第１の方式で信号処理された第１の画像データを前記第１のメモリに、前記画像処理手段により第２の方式で信号処理された第２の画像データを前記第２のメモリに、それぞれ記録するように前記データ記録手段を制御する制御手段とを備えることを特徴とする電子カメラ。
【請求項２】
請求項１に記載の電子カメラにおいて、
前記画像処理手段は、前記第１の画像データと前記第２の画像データとで画素数を異ならせることを特徴とする電子カメラ。
【請求項３】
請求項１に記載の電子カメラにおいて、
前記画像処理手段は、前記第１の画像データと前記第２の画像データとで画像圧縮率を異ならせることを特徴とする電子カメラ。
【請求項４】
請求項１に記載の電子カメラにおいて、
前記画像処理手段は、前記第１の画像データと前記第２の画像データとでデータ形式を異ならせることを特徴とする電子カメラ。
【請求項５】
請求項１〜４のいずれか一項に記載の電子カメラにおいて、
前記第１のメモリおよび前記第２のメモリは、それぞれ着脱可能な記録媒体によって構成されることを特徴とする電子カメラ。
【請求項６】
請求項５に記載の電子カメラにおいて、
内部メモリをさらに備え、
前記制御手段は、前記第１のメモリおよび前記第２のメモリの一方が記録不能な場合に、記録不能なメモリの代わりに前記内部メモリにデータを記録するように前記データ記録手段を制御することを特徴とする電子カメラ。
【請求項７】
請求項１〜４のいずれか一項に記載の電子カメラにおいて、
前記第１のメモリおよび前記第２のメモリは、一方が着脱可能な記録媒体によって構成され、他方が内部メモリで構成されることを特徴とする電子カメラ。
【発明の詳細な説明】
【技術分野】
【０００１】
本発明は、撮影画像を電子データとして記録する電子カメラに関する。
【背景技術】
【０００２】
撮影した画像データを異なる記録媒体に記録可能な電子カメラが知られている（特許文献１参照）。特許文献１の電子カメラは、メモリカードの装着の有無に応じて画像データファイルをメモリカードに記録したり、電子カメラ内のＲＡＭに記録したりする。一般に、画像データファイルはＥＸＩＦファイル形式で記録され、ＥＸＩＦファイルにはＪＰＥＧ形式で圧縮された本画像、およびサムネイルと呼ばれる縮小画像が含まれている。
【０００３】
【特許文献１】特開平１１−２７５４１７号公報
【発明の開示】
【発明が解決しようとする課題】
【０００４】
特許文献１に記載の電子カメラで記録した画像データファイルからＪＰＥＧ形式の本画像とサムネイル画像とを別個に取り扱うには、ＥＸＩＦファイルをコンピュータ装置などに取り込んだ上で、コンピュータ装置に両画像を分離処理させる必要があった。本発明は、たとえば、本画像とサムネイル画像のような撮影画像について異なる処理を施したデータを、電子カメラ自身でそれぞれ別個に得るようにするものである。
【課題を解決するための手段】
【０００５】
本発明による電子カメラは、被写体像を撮像して画像信号を出力する撮像素子と、撮像素子から出力された画像信号に信号処理を施す画像処理手段と、第１のメモリおよび第１のメモリと異なる第２のメモリにそれぞれデータを記録するデータ記録手段と、一撮影で得られる同一の画像信号に基づいて、画像処理手段により第１の方式で信号処理された第１の画像データを第１のメモリに、画像処理手段により第２の方式で信号処理された第２の画像データを第２のメモリに、それぞれ記録するようにデータ記録手段を制御する制御手段とを備えることを特徴とする。
上記電子カメラにおいて、第１の画像データと第２の画像データとで画素数を異ならせるように画像処理手段を構成してもよい。
上記電子カメラにおいて、第１の画像データと第２の画像データとで画像圧縮率を異ならせるように画像処理手段を構成してもよい。
上記電子カメラにおいて、第１の画像データと第２の画像データとでデータ形式を異ならせるように画像処理手段を構成してもよい。
第１のメモリおよび第２のメモリは、それぞれ着脱可能な記録媒体によって構成することもできる。この場合の制御手段は、第１のメモリおよび第２のメモリの一方が記録不能な場合に、記録不能なメモリの代わりに内部メモリにデータを記録するようにデータ記録手段を制御することもできる。
第１のメモリおよび第２のメモリは、一方を着脱可能な記録媒体によって構成し、他方を内部メモリで構成することもできる。
【発明の効果】
【０００６】
本発明による電子カメラでは、同一の画像信号に基づいて信号処理された第１の画像データおよび第２の画像データをそれぞれ異なるメモリに記録するようにしたので、異なる処理を施したデータを別個に得ることができる。
【発明を実施するための最良の形態】
【０００７】
以下、図面を参照して本発明を実施するための最良の形態について説明する。図１は、本発明の一実施の形態による電子カメラの外観図である。図１において電子カメラは、カメラ本体１および撮影レンズ２によって構成される。カメラ本体１には、光学ファインダ３、レリーズボタン４、カメラモードボタン５、記録モードボタン６、消去ボタン７、十字キーボタン８、メモリカード用スロット９、１０、およびカラー液晶表示器（ＬＣＤ）１１が設けられている。
【０００８】
図２は、図１の電子カメラの要部構成を説明するブロック図である。図２において、ＣＰＵ１０３は制御プログラムに基づいて所定の演算を行い、電子カメラを構成する各ブロックに対する制御信号を出力する。制御プログラムは、ＣＰＵ１０３内の不揮発性メモリ（不図示）に格納されている。
【０００９】
撮像素子１０１は、ＣＣＤイメージセンサなどによって構成される。撮像素子１０１は、撮影レンズ２を通過した被写体光束による像を撮像し、撮像信号（画素信号）をＡ／Ｄ変換回路１０６へ出力する。Ａ／Ｄ変換回路１０６は、アナログ撮像信号をディジタル信号に変換する。
【００１０】
メモリ１０４はディジタル変換後の画像データを一時格納する。ＤＳＰ１０２は、メモリ１０４に格納されているディジタル変換後の画像データに輝度信号生成処理、色信号生成処理、およびＷＢ（ホワイトバランス）処理などの各種信号処理を施すことにより、所定フォーマットのカラー画像データを生成する。カラー画像データは、再びメモリ１０４に格納される。
【００１１】
ＣＰＵ１０３は、メモリ１０４に記憶されているカラー画像データを用いてＬＣＤ１１の表示解像度に応じた画像表示信号を生成し、生成した信号をＬＣＤ１１へ出力する。ＣＰＵ１０３はまた、メニュー画面などのテキスト表示信号を生成してＬＣＤ１１へ出力する。ＬＣＤ１１は、画像表示信号によるカラー画像を再生表示したり、メニューや操作ガイドなどのテキスト情報を表示したりする。
【００１２】
ＤＳＰ１０２は、メモリ１０４に記憶されているカラー画像データを所定の形式で圧縮する圧縮（符号化）処理、圧縮されている画像データを伸長する伸長（復号化）処理なども行う。メモリ１０４は、各種処理中および処理後の画像データを一時的に格納する場合に使用される。
【００１３】
ＣＰＵ１０３は、画像データを記録用フォーマットに変換した上でスロット９および１０に装着された記録媒体（記録カードＡ１１１および記録カードＢ１１２）に記録したり、記録カードＡ１１１および記録カードＢ１１２に記録されている画像データを読み出す処理も行う。記録カードＡ１１１はスロット９に適合するメモリカードであり、記録カードＢ１１２はスロット１０に適合するメモリカードである。本実施形態の電子カメラのスロット９およびスロット１０は、同タイプ（同一規格）のスロットで構成される。この場合の記録カードＡ１１１および記録カードＢ１１２は、それぞれスロット９、１０に対して共通に使用できる。
【００１４】
なお、スロット９およびスロット１０をそれぞれ異なるタイプのスロットで構成してもよい。この場合には、それぞれのスロットの規格に適合するメモリカードを装着して使用する。
【００１５】
撮影モードにおいて、電子カメラは一撮影で得られる画像データを記録カードＡ１１１および記録カードＢ１１２にそれぞれ記録する。画像データの記録形式については後述する。再生モードにおいて、電子カメラは記録カードＡ１１１もしくは記録カードＢ１１２に記録されている画像データによる再生画像をＬＣＤ１１に表示する。
【００１６】
操作部材１０７は、図１のレリーズボタン４、カメラモードボタン５、記録モードボタン６、消去ボタン７、および十字キーボタン８などの押下操作に連動してオン／オフされる各スイッチを含み、各スイッチに対応する操作信号をＣＰＵ１０３へ出力する。ＣＰＵ１０３は、操作部材１０７から入力される操作信号に基づいて撮影や再生表示、設定変更処理などを行う。
【００１７】
レリーズボタン４は、電子カメラに撮影を指示するための操作部材である。カメラモードボタン５は、撮影モード／再生モードを切り換えるための操作部材である。記録モードボタン６は、記録カードＡ１１１および記録カードＢ１１２に対する記録形式を切り換えるための操作部材である。消去ボタン７は、記録カードＡ１１１および記録カードＢ１１２から不要な画像データを消去するための操作部材である。十字キーボタン８は、操作状態に応じて上下左右の方向を指示するための操作部材である。
【００１８】
上記電子カメラは、撮影時に設定されている記録形式に応じて、記録カードＡ１１１および記録カードＢ１１２に対して異なる処理を施した画像データ、もしくは同一処理を施した画像データをそれぞれ別個に記録する。図３は、記録カードＡ１１１および記録カードＢ１１２に対する記録形式を例示する図である。図３において、記録形式はＡからＨまでの８パターンが用意されており、記録モードボタン６および十字キーボタン８の操作によって８パターンの中から任意の記録形式が選択可能に構成されている。ＣＰＵ１０３は、記録モードボタン６に対応する操作信号が入力されている状態で十字キーボタン８から上方向または右方向を示す操作信号が入力されると、現在設定されている記録形式を図３において右方向に変更する。たとえば、パターンＢが設定されていた場合にはパターンＣへ変更する。反対に、記録モードボタン６に対応する操作信号が入力されている状態で十字キーボタン８から下方向または左方向を示す操作信号が入力されると、現在設定されている記録形式を図３において左方向に変更する。
【００１９】
記録形式Ａは、記録カードＡ１１１に画像サイズ（画素数）が大きな画像のファイル（たとえば、６００万画素データ）を記録するとともに、記録カードＢ１１２には画像サイズ（画素数）が小さな画像のファイル（たとえば、１万画素データ）を記録する。画像サイズが大きな画像にはＣＣＤ１０１による画素情報を有効に利用した本画像を用い、画像サイズが小さな画像にはサムネイル画像を用いる。本画像はサムネイル画像に比べてデータ容量が大きいので、記録カードＡ１１１に記録される画像と記録カードＢ１１２に記録される画像とは１画像当たりのデータ容量が異なる。なお、記録カードＡ１１１に記録される画像データを１次画像データ、記録カードＢ１１２に記録される画像データを２次画像データと呼ぶことにする。記録形式Ａの場合、(１画像当たりの１次画像データのデータ容量)＞(１画像当たりの２次画像データのデータ容量)である。
【００２０】
記録形式Ｂは、記録カードＡ１１１に低圧縮率で符号化した画像のファイル（たとえば、ＪＰＥＧ形式で１／２圧縮）を記録するとともに、記録カードＢ１１２には高圧縮率で符号化した画像のファイル（たとえば、ＪＰＥＧ形式で１／８圧縮）を記録する。低圧縮率ファイルは高圧縮率ファイルに比べてデータ容量が大きいので、１次画像データと２次画像データとは１画像当たりのデータ容量が異なる。記録形式Ｂの場合、(１画像当たりの１次画像データのデータ容量)＞(１画像当たりの２次画像データのデータ容量)である。
【００２１】
記録形式Ｃは、記録カードＡ１１１にＲＡＷデータで表された画像のファイルを記録するとともに、記録カードＢ１１２にはＪＰＥＧ形式で表された画像のファイルを記録する。ＲＡＷデータは、Ａ／Ｄ変換された画像データであって画像処理を施す前のデータであり、ＪＰＥＧ形式のデータとはデータフォーマットが異なる。ＲＡＷデータで表された画像のファイルはＪＰＥＧ形式で表された画像のファイルに比べてデータ容量が大きいので、１次画像データと２次画像データとは１画像当たりのデータ容量が異なる。記録形式Ｃの場合、(１画像当たりの１次画像データのデータ容量)＞(１画像当たりの２次画像データのデータ容量)である。
【００２２】
記録形式Ｄは、記録カードＡ１１１および記録カードＢ１１２に対して共通に、画像サイズ（画素数）が大きな画像を低圧縮率で符号化した画像のファイル（たとえば、ＪＰＥＧ形式で１／２圧縮）を記録する。この場合には、１次画像データおよび２次画像データのうち一方をバックアップデータとして利用できる。記録形式Ｄの場合、(１画像当たりの１次画像データのデータ容量)＝(１画像当たりの２次画像データのデータ容量)である。
【００２３】
記録形式Ｅは、記録カードＡ１１１に通常の画像（ＣＣＤ１０１の撮像領域を有効に利用した本画像）のファイルを記録するとともに、記録カードＢ１１２には上記通常の画像に対して所定のトリミングを施した画像のファイルを記録する。この場合の１次画像データと２次画像データとは、撮影画像に対する切り出しの有無が異なる。記録形式Ｅの場合、(１画像当たりの１次画像データのデータ容量)＞(１画像当たりの２次画像データのデータ容量)である。
【００２４】
記録形式Ｆは、記録カードＡ１１１に通常の画像（ＣＣＤ１０１の撮像領域を有効に利用した本画像）のファイルを記録するとともに、記録カードＢ１１２には上記通常の画像に対してモノクロ処理を施した画像のファイルを記録する。モノクロ処理は、たとえば、ＲＧＢ成分を含むデータを輝度成分のみを有するデータに変換する。この場合の１次画像データおよび２次画像データは、再生画像の色合いが異なる。記録形式Ｆの場合、(１画像当たりの１次画像データのデータ容量)＞(１画像当たりの２次画像データのデータ容量)である。
【００２５】
記録形式Ｇは、記録カードＢ１１２に通常の画像（ＣＣＤ１０１の撮像領域を有効に利用した本画像）のファイルを記録するとともに、記録カードＡ１１１には上記通常の画像に対してパノラマ処理を施した画像のファイルを記録する。この場合の１次画像データと２次画像データとは、パノラマ処理の有無が異なる。記録形式Ｇの場合、(１画像当たりの１次画像データのデータ容量)＞(１画像当たりの２次画像データのデータ容量)である。
【００２６】
記録形式Ｈは、記録カードＢ１１２に通常の画像（ＣＣＤ１０１の撮像領域を有効に利用した本画像）のファイルを記録するとともに、記録カードＡ１１１には上記通常の画像に対して階調補正処理を施した画像のファイルを記録する。この場合の１次画像データと２次画像データとは、階調補正処理の有無が異なる。記録形式Ｈの場合、(１画像当たりの１次画像データのデータ容量)≧(１画像当たりの２次画像データのデータ容量)である。
【００２７】
図４は、上記記録形式Ａが設定されている場合に記録カードＡ１１１および記録カードＢ１１２に記録される画像データファイルを説明する図である。図４において、スロット９に装着された記録カードＡ１１１にはデータ容量が大きな９個のファイルが記録されている。スロット１０に装着された記録カードＢ１１２にはデータ容量が小さな９個のファイルが記録されている。ここで、記録カードＡ１１１に作成されるフォルダの名称と、記録カードＢ１１２に作成されるフォルダの名称とは同一名称にされ、各フォルダ内に記録されるデータファイル（すなわち、１次画像データおよび２次画像データ）には撮影番号などの共通する部分を含む名称が付与される。このように、コンピュータ装置を用いて処理を施すことなしに、電子カメラにおいて撮影時にデータ容量が異なるデータをそれぞれ別個に得ることができる。
【００２８】
電子カメラのＣＰＵ１０３で行われるカメラ処理の流れについて、図５のフローチャートを参照して説明する。図５による処理は、電子カメラが撮影モードに切り換えられた状態で繰り返し行われる。
【００２９】
図５のステップＳ１において、ＣＰＵ１０３はレリーズ半押し操作が行われたか否かを判定する。ＣＰＵ１０３は、レリーズボタン４が半押し操作されたことを示す操作信号が操作部材１０７から入力されるとステップＳ１を肯定判定してステップＳ２へ進み、半押し操作を示す操作信号が入力されない場合には当該判定処理を繰り返す。
【００３０】
ステップＳ２において、ＣＰＵ１０３は露出演算処理を行ってステップＳ３へ進む。ステップＳ３において、ＣＰＵ１０３はオートフォーカス処理を行ってステップＳ４へ進む。ステップＳ４において、ＣＰＵ１０３はレリーズ全押し操作が行われたか否かを判定する。ＣＰＵ１０３は、レリーズボタン４が全押し操作されたことを示す操作信号が操作部材１０７から入力されるとステップＳ４を肯定判定してステップＳ５へ進み、全押し操作を示す操作信号が入力されない場合にはステップＳ１１へ進む。
【００３１】
ステップＳ１１において、ＣＰＵ１０３はレリーズ半押し操作が行われているか否かを判定する。ＣＰＵ１０３は、レリーズボタン４の半押し操作を示す操作信号が操作部材１０７から継続して入力されている場合にステップＳ１１を肯定判定してステップＳ４へ戻り、半押し操作を示す操作信号が入力されていない場合にはステップＳ１へ戻る。
【００３２】
ステップＳ５において、ＣＰＵ１０３は撮像素子１０１に電荷蓄積の開始を指示してステップＳ６へ進む。これにより、露出演算によって決定されている露出条件で撮影が開始される。ステップＳ６において、ＣＰＵ１０３はシャッタ速度時間が経過すると撮像素子１０１に電荷蓄積終了および電荷読み出しを指示してステップＳ７へ進む。この結果、撮像素子１０１から出力された蓄積電荷信号が逐次Ａ／Ｄ変換され、メモリ１０４に一時格納される。
【００３３】
ステップＳ７において、ＣＰＵ１０３はＤＳＰ１０２に画像処理１を指示してステップＳ８へ進む。これにより、ＤＳＰ１０２はメモリ１０４に格納されている画像データを用いて設定されている記録形式の１次画像データを生成する。記録形式Ａの場合を例にとれば、ＤＳＰ１０２は記録カードＡ１１１に記録するための画素数が大きな画像のファイルを生成する。
【００３４】
ステップＳ８において、ＣＰＵ１０３は記録１を開始してステップＳ９へ進む。これにより、記録カードＡ１１１に対して画像データファイルの記録が開始される。
【００３５】
ステップＳ９において、ＣＰＵ１０３はＤＳＰ１０２に画像処理２を指示してステップＳ１０へ進む。これにより、ＤＳＰ１０２はメモリ１０４に格納されている画像データを用いて設定されている記録形式の２次画像データを生成する。記録形式Ａの場合を例にとれば、ＤＳＰ１０２は記録カードＢ１１２に記録するための画素数が小さなサムネイル画像のファイルを生成する。
【００３６】
ステップＳ１０において、ＣＰＵ１０３は記録２を開始して図５による処理を終了する。これにより、記録カードＢ１１２に対して画像データファイルの記録が開始される。
【００３７】
以上説明した実施形態によれば、次の作用効果が得られる。
（１）電子カメラに２つのスロット９、１０を設け、各スロット９、１０に記録カードＡ１１１および記録カードＢ１１２を装着可能に構成する。電子カメラは、撮影時に設定されている記録形式に応じて、記録カードＡ１１１および記録カードＢ１１２に対して異なる処理を施した画像データ、もしくは同一処理を施した画像データをそれぞれ別個に記録する。記録形式Ａでは、記録カードＡ１１１に画像サイズ（画素数）が大きな画像のファイル（たとえば、６００万画素データ）を記録するとともに、記録カードＢ１１２には画像サイズ（画素数）が小さな画像のファイル（たとえば、１万画素データ）を記録する。したがって、撮影後に何のファイル操作を必要とすることなく、データ容量の異なる２種類の画像データファイルを別々の記録カードＡ１１１および記録カードＢ１１２内に生成できる。
【００３８】
（２）記録形式Ｂでは、記録カードＡ１１１に低圧縮率で符号化した画像のファイル（たとえば、ＪＰＥＧ形式で１／２圧縮）を記録するとともに、記録カードＢ１１２には高圧縮率で符号化した画像のファイル（たとえば、ＪＰＥＧ形式で１／８圧縮）を記録する。したがって、撮影後に何のファイル操作を必要とすることなく、データ容量の異なる２種類の画像データファイルを別々の記録カードＡ１１１および記録カードＢ１１２内に生成できる。
【００３９】
（３）記録形式Ｃでは、記録カードＡ１１１にＲＡＷデータで表された画像のファイルを記録するとともに、記録カードＢ１１２にはＪＰＥＧ形式で表された画像のファイルを記録する。したがって、撮影後に何のファイル操作を必要とすることなく、データ容量の異なる２種類の画像データファイルを別々の記録カードＡ１１１および記録カードＢ１１２内に生成できる。
【００４０】
（４）記録形式Ｅでは、記録カードＡ１１１に通常の画像（ＣＣＤ１０１の撮像領域を有効に利用した本画像）のファイルを記録するとともに、記録カードＢ１１２には上記通常の画像に対して所定のトリミングを施した画像のファイルを記録する。したがって、撮影後に何のファイル操作を必要とすることなく、データ容量の異なる２種類の画像データファイルを別々の記録カードＡ１１１および記録カードＢ１１２内に生成できる。
【００４１】
（５）記録形式Ｆでは、記録カードＡ１１１に通常の画像（ＣＣＤ１０１の撮像領域を有効に利用した本画像）のファイルを記録するとともに、記録カードＢ１１２には上記通常の画像に対してモノクロ処理を施した画像のファイルを記録する。したがって、撮影後に何のファイル操作を必要とすることなく、データ容量の異なる２種類の画像データファイルを別々の記録カードＡ１１１および記録カードＢ１１２内に生成できる。
【００４２】
（６）記録形式Ｇでは、記録カードＢ１１２に通常の画像（ＣＣＤ１０１の撮像領域を有効に利用した本画像）のファイルを記録するとともに、記録カードＡ１１１には上記通常の画像に対してパノラマ処理を施した画像のファイルを記録する。したがって、撮影後に何のファイル操作を必要とすることなく、データ容量の異なる２種類の画像データファイルを別々の記録カードＡ１１１および記録カードＢ１１２内に生成できる。
【００４３】
（７）記録形式Ｈでは、記録カードＢ１１２に通常の画像（ＣＣＤ１０１の撮像領域を有効に利用した本画像）のファイルを記録するとともに、記録カードＡ１１１には上記通常の画像に対して階調補正処理を施した画像のファイルを記録する。したがって、撮影後に何のファイル操作を必要とすることなく、データ容量の異なる２種類の画像データファイルを別々の記録カードＡ１１１および記録カードＢ１１２内に生成できる。
【００４４】
（８）記録形式Ｄでは、記録カードＡ１１１および記録カードＢ１１２に対して共通に、画像サイズ（画素数）が大きな画像を低圧縮率で符号化した画像のファイル（たとえば、ＪＰＥＧ形式で１／２圧縮）を記録する。したがって、撮影後に何のファイル操作を必要とすることなく、バックアップデータを生成できる。
【００４５】
１次画像データおよび２次画像データは、以下のように利用できる。記録カードＢ１１２が電子カメラのスロット９もしくはスロット１０に装着され、記録されている画像の一覧表示が指示されると、電子カメラは記録カードＢ１１２内に記録されている画像データファイルを読み出し、読み出したファイルの一覧表示をＬＣＤ１１に行う。上述したように、記録形式Ｄを除いて記録カードＢ１１２に記録されている２次画像データの方が記録カードＡ１１１に記録されている１次画像データよりもデータ容量が小さいので、記録カードＡ１１１に記録されている画像データファイルを読み出して一覧表示を行う場合に比べて短時間でファイルの読み出しが行える。これにより、ファイル一覧を短時間で表示できるとともに、ＣＰＵ１０３の負担を軽減できる。
【００４６】
操作者は、電子カメラのＬＣＤ１１に表示された一覧表示の中からプリントしたい画像に対応するデータファイル（２次画像データファイル）を選択し、操作部材１０７を操作する。次に操作者は、電子カメラに装着中の記録カードＢ１１２と同一フォルダ名称の記録カードＡ１１１を電子カメラのスロット９およびスロット１０の空いている方へ装着する。電子カメラに装着中の記録カードＢ１１２からフォルダ名称がわかるので、操作者にとって対応する記録カードＡ１１１を判別することが容易になる。
【００４７】
電子カメラは、記録カードＡ１１１および記録カードＢ１１２がそれぞれスロット９およびスロット１０に装着された状態で、操作部材１０７から選択ファイルを示す信号とプリント開始を指示する操作信号とが入力されると、選択されている２次画像データファイルに対応する１次画像データファイルを記録カードＡ１１１から読み出す。電子カメラはさらに、不図示のケーブルで接続されているPictBridge（登録商標）対応の外部プリンタ（不図示）へ読み出した画像データを送出し、プリントを指示する。これにより、外部プリンタが電子カメラから受信した１次画像データファイルによる再生画像のプリントを行う。
【００４８】
記録カードＡ１１１および記録カードＢ１１２に対して記録形式Ｄで画像データファイルを記録した場合には、１次画像データおよび２次画像データを以下のように利用できる。すなわち、記録カードＡ１１１および記録カードＢ１１２のうち一方をバックアップとして保管しておくことにより、他方のカードが紛失、破損した場合でも画像データファイルによる画像の閲覧、プリントを行うことができる。
【００４９】
以上の説明では、記録カードＡ１１１および記録カードＢ１１２にそれぞれ画像データファイルを記録するようにしたが、記録カードＡ１１１および記録カードＢ１１２のいずれか一方の代わりに電子カメラ内のメモリ１０４に記録するように構成してもよい。
【００５０】
また、記録カードＡ１１１および記録カードＢ１１２のうち一方の記録カードが装着されていない場合や、一方の記録カードの空き容量が不足する場合にのみ、記録不能の記録カードに代えて電子カメラ内のメモリ１０４に画像データファイルを記録させてもよい。この場合には、記録カードが交換される等によって記録可能になった時点でメモリ１０４に記録されている画像データファイルを記録カードへ転送させる。
【００５１】
特許請求の範囲における各構成要素と、発明を実施するための最良の形態における各構成要素との対応について説明する。画像処理手段は、たとえば、ＤＳＰ１０２によって構成される。第１のメモリは、たとえば、記録カードＡ１１１によって構成される。第２のメモリは、たとえば、記録カードＢ１１２によって構成される。データ記録手段および制御手段は、たとえば、ＣＰＵ１０３によって構成される。第１の画像データは、たとえば、１次画像データが対応する。第２の画像データは、たとえば、２次画像データが対応する。なお、本発明の特徴的な機能を損なわない限り、各構成要素は上記構成に限定されるものではない。
【図面の簡単な説明】
【００５２】
【図１】本発明の一実施の形態による電子カメラの外観図である。
【図２】図１の電子カメラの要部構成を説明するブロック図である。
【図３】記録カードＡおよび記録カードＢに対する記録形式を例示する図である。
【図４】記録形式Ａが設定されている場合に記録カードＡおよび記録カードＢに記録される画像データファイルを説明する図である。
【図５】ＣＰＵで行われるカメラ処理の流れについて説明するフローチャートである。
【符号の説明】
【００５３】
１…電子カメラ本体
２…撮影レンズ
９、１０…スロット
１１…ＬＣＤ
１０１…撮像素子
１０２…ＤＳＰ
１０３…ＣＰＵ
１０４…メモリ
１０６…Ａ／Ｄ変換回路
１０７…操作部材
１１１…記録カードＡ
１１２…記録カードＢ
【図１】
2006086810.tif 000003
【図２】
2006086810.tif 000004
【図３】
2006086810.tif 000005
【図４】
2006086810.tif 000006
【図５】
2006086810.tif 000007